(57)【要約】【課題】  ペットの興味を引き、又、ペットのストレス解消が可能となる遊戯具を提供する。【解決手段】  遊戯具１０は床面に載置して使用するものであって、枠体２０と、爪研ぎ部材３０と、４つの足踏み部材４０ａ、４０ｂ、４０ｃ及び４０ｄとからなる。足踏み部材４０ａは、床面に載置した場合に、凸状に形成された外面４１が枠体２０の上面２１の側に現れるように枠体２０に保持され、押圧により外面４１が内面の側に凹むと共に、押圧状態を解除すると外面４１が元の状態に復帰するように形成されている。このように構成すると、ペットの足が乗ると足踏み部材４０ａが凹み、凹む感触がペットにリラックス効果をもたらすので、ペットの興味を引き、又、ペットのストレス解消が可能となる。更に、足踏み部材４０ａが目に入りやすいので、よりペットの興味を引くものとなる。【選択図】  図１
2014135939.tif 000002
【特許請求の範囲】
【請求項１】
床面に載置して使用するペット用の遊戯具であって、
弾性体よりなり、押圧により外面が内面の側に凹むと共に押圧状態を解除すると前記外面が元の状態に復帰するように形成された足踏み部材と、
前記床面に載置することができ、前記床面に載置した場合に前記足踏み部材の前記外面が上面の側に現れるように前記足踏み部材を保持することができる枠体とからなる、遊戯具。
【請求項２】
前記足踏み部材の前記外面は、凸状に形成される、請求項１記載の遊戯具。
【請求項３】
前記足踏み部材の前記内面の外縁部分は、同一平面上で環状に形成され、前記外縁部分には、前記内面の側から前記外面の側にかけて延びる少なくとも一つの溝が形成され、
使用時には前記外縁部分の全面が前記床面に当接する、請求項１又は請求項２記載の遊戯具。
【請求項４】
前記足踏み部材の前記内面には、下面が同一平面上の環状となるリブが形成され、前記リブの前記下面には内方と外方とに渡る少なくとも一つの溝が形成され、使用時には前記下面の全面が前記床面に当接する、請求項３記載の遊戯具。
【請求項５】
弾性体よりなり、一方面の少なくとも一部に凹凸形状が形成された爪研ぎ部材を更に備え、
前記枠体は、前記床面に載置した場合に前記爪研ぎ部材の前記一方面が上面の側に現れるように前記爪とぎ部材を保持することができる、請求項１から請求項４のいずれかに記載の遊戯具。
【発明の詳細な説明】
【技術分野】
【０００１】
この発明は遊戯具に関し、特にペット用の遊戯具に関するものである。
【背景技術】
【０００２】
室内で飼育される猫等の愛玩動物用の遊戯具を兼ねた爪研ぎとして、例えば特許文献１に示すような猫の爪研ぎが提案されている。
【０００３】
図７は、そのような爪研ぎの外観形状を示す斜視図である。
【０００４】
図を参照して、爪研ぎ８０は、段ボールブロック８１と、段ボールブロック８１を収容し、収容した段ボールブロック８１の外側にレール溝８２が一周して設けられた本体８３と、レール溝８２の内部で転動自在なボール８４とからなる。尚、レール溝８２の底部には、樋部８５が設けられている。又、ボール８４はレール溝８２より転がり出ないような寸法であって、猫がボール８４を取ろうとするとボール８４がレール溝８２に沿って転がるように構成されており、猫の玩具として使用される。
爪研ぎは、段ボールブロック８１にて行われる。尚、爪研ぎにより段ボールブロック８１から生じる研ぎくずはレール溝８２に落ちるので、室内に研ぎくずが散らばりにくい。又、レール溝８２に落ちた研ぎくずは更に樋部８５へと落ちるので、研ぎくずによりボール８４の転動が阻害されにくい。更に、爪自身の研ぎカスは発生するが、この量は極微量であるので、衛生面ではほとんど影響を与えない。
【先行技術文献】
【特許文献】
【０００５】
【特許文献１】特開平８−１１８号公報
【発明の概要】
【発明が解決しようとする課題】
【０００６】
上記のようなボール８４は、追いかけて遊ぶためのものであるため、猫等のペットを興奮させるものであり、ペットにリラックス効果をもたらすものではない。すなわち、ペットのストレス解消という点で問題がある。
【０００７】
この発明は、上記のような課題を解決するためになされたもので、ペットの興味を引き、又、ペットのストレス解消が可能となる遊戯具を提供することを目的とする。
【課題を解決するための手段】
【０００８】
上記の目的を達成するために、請求項１記載の発明は、床面に載置して使用するペット用の遊戯具であって、弾性体よりなり、押圧により外面が内面の側に凹むと共に押圧状態を解除すると外面が元の状態に復帰するように形成された足踏み部材と、床面に載置することができ、床面に載置した場合に足踏み部材の外面が上面の側に現れるように足踏み部材を保持することができる枠体とからなるものである。
【０００９】
このように構成すると、ペットの足が乗ると足踏み部材が凹む。
【００１０】
請求項２記載の発明は、請求項１記載の発明の構成において、足踏み部材の外面は、凸状に形成されるものである。
【００１１】
このように構成すると、足踏み部材が目に入りやすい。
【００１２】
請求項３記載の発明は、請求項１又は請求項２記載の発明の構成において、足踏み部材の内面の外縁部分は、同一平面上で環状に形成され、外縁部分には、内面の側から外面の側にかけて延びる少なくとも一つの溝が形成され、使用時には外縁部分の全面が床面に当接するものである。
【００１３】
このように構成すると、足踏み時に足踏み部材の外縁部分が床面に当接しても、内面の側の空気が外面の側に抜ける。
【００１４】
請求項４記載の発明は、請求項３記載の発明の構成において、足踏み部材の内面には、下面が同一平面上の環状となるリブが形成され、リブの下面には内方と外方とに渡る少なくとも一つの溝が形成され、使用時には下面の全面が床面に当接するものである。
【００１５】
このように構成すると、足踏み部材の凹みが急激なものとならない。又、足踏み時にリブの下面が床面に当接しても、内方の空気が外方に抜ける。
【００１６】
請求項５記載の発明は、請求項１から請求項４のいずれかに記載の発明の構成において、弾性体よりなり、一方面の少なくとも一部に凹凸形状が形成された爪研ぎ部材を更に備え、枠体は、床面に載置した場合に爪研ぎ部材の一方面が上面の側に現れるように爪とぎ部材を保持することができるものである。
【００１７】
このように構成すると、研ぎくずが出にくくなる。
【発明の効果】
【００１８】
以上説明したように、請求項１記載の発明は、ペットの足が乗ると足踏み部材が凹むので、ペットの興味を引き、又、ペットのストレス解消が可能となる。
【００１９】
請求項２記載の発明は、請求項１記載の発明の効果に加えて、足踏み部材が目に入りやすいので、よりペットの興味を引くものとなる。
【００２０】
請求項３記載の発明は、請求項１又は請求項２記載の発明の効果に加えて、足踏み時に足踏み部材の外縁部分が床面に当接しても、内面の側の空気が外面の側に抜けるので、足踏み部材の凹みに抵抗を与えるが、凹みが阻害されない。
【００２１】
請求項４記載の発明は、請求項３記載の発明の効果に加えて、足踏み部材の凹みが急激なものとならない。又、足踏み時にリブの下面が床面に当接しても、内方の空気が外方に抜けるので、足踏み部材の耐久力が向上する。又、足踏み部材の凹みに抵抗を与えるが、凹みが阻害されない。
【００２２】
請求項５記載の発明は、請求項１から請求項４のいずれかに記載の発明の効果に加えて、研ぎくずが出にくくなるので、衛生的なペット用の爪研ぎ具としての機能も備わる。
【図面の簡単な説明】
【００２３】
【図１】この発明の第１の実施の形態による遊戯具の平面図である。
【図２】図１で示した遊戯具の右側面図である。
【図３】図１で示した遊戯具の底面図の上下を逆転させた図である。
【図４】図１で示したＩＶ−ＩＶラインの断面図である。
【図５】図１で示したＶ−Ｖラインの断面図である。
【図６】図１で示した足踏み部材の使用前後及び使用中の状態を示した模式図である。
【図７】従来の爪研ぎの外観形状を示す斜視図である。
【発明を実施するための形態】
【００２４】
図１は、この発明の第１の実施の形態による遊戯具の平面図であり、図２は、図１で示した遊戯具の右側面図であり、図３は、図１で示した遊戯具の底面図の上下を逆転させた図であり、図４は、図１で示したＩＶ−ＩＶラインの断面図であり、図５は、図１で示したＶ−Ｖラインの断面図であり、図６は、図１で示した足踏み部材の使用前後及び使用中の状態を示した模式図である。
【００２５】
まず、図１から図５の各々を参照して、遊戯具１０は床面に載置して使用するものであって、床面に載置することができるプラスチック製の枠体２０と、爪研ぎ部材３０と、４つの足踏み部材４０ａ、４０ｂ、４０ｃ及び４０ｄとからなる。尚、図１、図４及び図５を参照して、枠体２０には、爪研ぎ部材３０を保持する爪研ぎ部材設置孔２３と、足踏み部材４０ａ、４０ｂ、４０ｃ及び４０ｄの各々を保持する足踏み部材設置孔２４ａ、２４ｂ、２４ｃ、２４ｄの各々とが形成されている。枠体２０による爪研ぎ部材３０及び足踏み部材４０ａ、４０ｂ、４０ｃ及び４０ｄの各々の保持については後述する。
【００２６】
次に、図１から図５の各々を参照して、爪研ぎ部材３０は、硬度６５のシリコンゴムよりなり、一方面３１に格子状の凸部３２よりなる凹凸形状が形成されている。尚、爪研ぎ部材３０は、枠体２０を床面に載置した場合に一方面３１が枠体２０の上面２１の側に現れるように、底面側から爪研ぎ部材設置孔２３に嵌め込まれることによって枠体２０に保持されている。爪研ぎは爪研ぎ部材３０の一方面３１において行われる。
【００２７】
このように構成すると、研ぎくずが出にくくなるので、遊戯具１０が衛生的なペット用の爪研ぎ具としての機能も備えたものとなる。又、爪研ぎ部材３０が引き裂きに強く、爪研ぎ時に最初の形状を維持できるものとなるので、爪研ぎに適したものとなる。
【００２８】
次に、図３を参照して、爪研ぎ部材３０の他方面３３の外縁部分３４は、平面視環状に形成されており、爪研ぎ部材３０を保持した枠体２０を床面に載置した場合には、図４及び図５に示すように、爪研ぎ部材３０の他方面３３の外縁部分３４の全部が床面に当接する。尚、上述したように爪研ぎ部材３０はシリコンゴムよりなり、枠体２０はプラスチックよりなるため、爪研ぎ部材３０の摩擦係数は枠体２０の摩擦係数よりも大きい。
【００２９】
このように構成すると、他方面３３の外縁部分３４の全部が平滑な床面に当接すると、他方面３３の内方が密封状態となる。すると、使用時には爪研ぎ部材３０の一方面３１にペットが爪を立てることにより一方面３１が押圧され、内方の空気が多少外方に抜けるため、内方が負圧状態にて密封状態となるので、爪研ぎ時のずれがより生じにくくなる。
【００３０】
更に、爪研ぎ部材３０の他方面３３には、爪研ぎ部材３０の形状を保持するための格子状のリブ３５ａ、３５ｂ及び３５ｃ等が形成されている。
【００３１】
次に、図１から図３、図５及び図６の各々を参照して、足踏み部材４０ａ、４０ｂ，４０ｃ及び４０ｄの各々はシリコンゴムよりなる。尚、足踏み部材４０ａ、４０ｂ，４０ｃ及び４０ｄの各々の構成は共通であるため、以下、足踏み部材４０ａの構成についてのみ述べる。
【００３２】
足踏み部材４０ａは押圧により外面４１が内面４２の側に凹むと共に、押圧状態を解除すると外面４１が元の状態に復帰するように形成されている。又、足踏み部材４０ａの外面４１は凸状に形成されており、枠体２０を床面に載置した場合に外面４１が枠体２０の上面２１の側に現れるように、底面側から足踏み部材設置孔２４ａに嵌め込まれることによって枠体２０に保持されている。
【００３３】
このように構成すると、ペットの足が乗ると足踏み部材４０ａが凹み、凹む感触がペットにリラックス効果をもたらすので、ペットの興味を引き、又、ペットのストレス解消が可能となる。更に、足踏み部材４０ａが目に入りやすいので、よりペットの興味を引くものとなる。
【００３４】
次に、図３、図５及び図６の（１）を参照して、足踏み部材４０ａの内面４２の外縁部分４３は、同一平面上で環状に形成され、外縁部分４３には、内面４２の側から外面４１の側に掛けて延びる２本の溝４４ａ及び４４ｂが形成されている。又、足踏み部材４０ａの内面４２には、下面４６が同一平面上の環状となるリブ４５が形成され、リブ４５の下面４６には内方と外方とに渡る２つの溝４７ａ及び４７ｂが形成されている。
【００３５】
足踏み部材４０ａの使用時の状態については、図６の（２）を参照して、ペットの足５０が足踏み部材４０ａの外面４１に乗る等して足踏み部材４０ａが押圧されると、足踏み部材４０ａの外面４１が内面４２の側に凹むと共に、足踏み部材４０ａが床面６０の側に押し下がり、リブ４５の下面４６の全面が床面６０に当接する。このように構成すると、足踏み部材４０ａの凹みが急激なものとならないので足踏み部材４０ａの耐久力が向上する。
【００３６】
又、外縁部分４３の全面も床面６０に当接する。このように構成すると、図の矢印で示すように、足踏み部材４０ａの内方の空気が、リブ４５の溝４７ａと外縁部分４３の溝４４ａとの各々を通過して外方に抜ける。又、同様に、図３にて示したリブ４５の溝４７ｂと外縁部分４３の溝４４ｂとの各々を通過して足踏み部材４０ａの内方の空気が外方に抜ける。よって、足踏み部材４０ａの凹みに抵抗を与えるが、凹みが阻害されない。
【００３７】
ペットの足５０が足踏み部材４０ａの上面２１から外れて足踏み部材４０ａへの押圧状態が解除されると、足踏み部材４０ａの外面４１は、図６の（２）の状態から図６の（１）の状態に復帰するので、足踏み部材４０ａを使用した足踏み運動の遊びを繰り返し行うことが可能である。
【００３８】
尚、上記の第１の実施の形態では、遊戯具は爪研ぎ部材を備えるものであったが、無いものであってもよい。
【００３９】
又、上記の第１の実施の形態では、足踏み部材のリブの下面には溝が２つ形成されていたが、少なくとも１つ形成されていればよい。
【００４０】
更に、上記の第１の実施の形態では、足踏み部材のリブの下面は同一平面上の環状となるものであったが、他の形状であってもよい。
【００４１】
更に、上記の第１の実施の形態では、足踏み部材にはリブが形成されていたが、形成されていなくてもよい。
【００４２】
更に、上記の第１の実施の形態では、足踏み部材の内面の外縁部分には溝が２つ形成されていたが、少なくとも１つ形成されていればよい。
【００４３】
更に、上記の第１の実施の形態では、足踏み部材の内面の外縁部分は同一平面上の環状となるものであったが、他の形状であってもよい。
【００４４】
更に、上記の第１の実施の形態では、足踏み部材の内面の外縁部分は使用時にその全面が床面に当接するものであったが、当接しないものであってもよい。
【００４５】
更に、上記の第１の実施の形態では、足踏み部材の外面は凸状に形成されていたが、例えば枠体の上面と面一となるような平坦な形状など、押圧により外面が内面の側に凹むことが可能な形状であれば他の形状に形成されていてもよい。
【００４６】
更に、上記の第１の実施の形態では、足踏み部材はシリコンゴムよりなるものであったが、他の弾性体よりなるものであってもよい。
【００４７】
更に、上記の第１の実施の形態では、遊戯具は足踏み部材を４つ有するものであったが、足踏み部材を少なくとも１つ有するものであればよい。
【符号の説明】
【００４８】
１０…遊戯具
２０…枠体
２１…上面
３０…爪研ぎ部材
３１…一方面
３２…凸部
４０ａ、４０ｂ、４０ｃ、４０ｄ…足踏み部材
４１…外面
４２…内面
４３…外縁部分
４４ａ、４４ｂ…溝
４５…リブ
４６…下面
４７ａ、４７ｂ…溝
６０…床面
尚、各図中同一符号は同一又は相当部分を示す。
【図１】
2014135939.tif 000003
【図２】
2014135939.tif 000004
【図３】
2014135939.tif 000005
【図４】
2014135939.tif 000006
【図５】
2014135939.tif 000007
【図６】
2014135939.tif 000008
【図７】
2014135939.tif 000009